(57)【特許請求の範囲】
【請求項１】
画像情報に応じて光学像を形成する電気光学装置と、形成された光学像を拡大投写する投写レンズとを備えた投写型表示装置であって、
前記電気光学装置の上方に配置され、当該電気光学装置を冷却する冷却ファンを備え、
前記投写レンズは、複数のレンズと、これら複数のレンズを所定の軸に沿って固定する筒状体とを備え、
前記複数のレンズのうち、少なくとも当該投写レンズの投写方向に対して最も基端側に配置されるレンズ、および、前記筒状体の前記投写方向の基端側は、前記冷却ファンの位置に応じて切り欠かれた形状とされていることを特徴とする投写型表示装置。
【請求項２】
請求項１に記載の投写型表示装置において、
前記筒状体の外周面には、その径方向外側に向かって突出するフランジが形成され、
このフランジは、当該筒状体の基端面よりも先端側に形成されていることを特徴とする投写型表示装置。
【請求項３】
請求項１または請求項２に記載の投写型表示装置において、
前記投写レンズの基端側を支持する支持体を有し、
この支持体には、前記投写レンズの基端部分の形状に応じて形成され、当該投写レンズが挿入される開口部が設けられていることを特徴とする投写型表示装置。
【請求項４】
請求項１ないし請求項３のいずれかに記載の投写型表示装置において、
前記電気光学装置を構成する光変調装置の画像形成領域の中心は、前記投写レンズの軸の延長線と前記光変調装置との交点よりも下方に配置されていることを特徴とする投写型表示装置。
【発明の詳細な説明】
【０００１】
【発明の属する技術分野】
本発明は、画像情報に応じて光学像を形成する電気光学装置と、形成された光学像を拡大投写する投写レンズとを備えた投写型表示装置に関する。
【０００２】
【背景技術】
従来より、光源と、その光源から出射される光束を画像情報に応じて光学像を形成する電気光学装置と、この電気光学装置で形成された画像を拡大投写する投写レンズとを備えた投写型表示装置が知られている。
【０００３】
このような投写型表示装置は、会議、学会、展示会等でのマルチメディアプレゼンテーションに広く利用される。
【０００４】
【発明が解決しようとする課題】
ところで、投写型表示装置は、プレゼンテーション用の会議室等に設置された状態で維持されることもあるが、必要に応じて持ち込まれたり、終了時に他の場所に移して保管する場合もある。従って、持ち運びを容易にするために携帯性を向上させる必要があり、一層の小型化および薄型化が要望されている。
【０００５】
本発明の目的は、小型化および薄型化を促進できる投写型表示装置を提供することにある。
【０００６】
【課題を解決するための手段】
本発明の投写型表示装置は、画像情報に応じて光学像を形成する電気光学装置と、形成された光学像を拡大投写する投写レンズとを備えた投写型表示装置であって、前記電気光学装置の上方に配置され、当該電気光学装置を冷却する冷却ファンを備え、前記投写レンズは、複数のレンズと、これら複数のレンズを所定の軸に沿って固定する筒状体とを備え、前記複数のレンズのうち、少なくとも当該投写レンズの投写方向に対して最も基端側に配置されるレンズ、および、前記筒状体の前記投写方向の基端側は、前記冷却ファンの位置に応じて切り欠かれた形状とされていることを特徴とする。
【０００７】
このような本発明においては、投写レンズの投写方向基端側のレンズ、および、筒状体の投写方向基端側を、冷却ファンの配置位置に応じて切欠き、略平坦面としているので、投写レンズを支持する部材の高さ寸法を小さくすることが可能となり、また、例えば、投写レンズの基端側近傍に配置される電気光学装置の上方に、冷却ファンを当該レンズに触れることなく載せることが可能となる。これにより、当該投写レンズを有する投写型表示装置の高さ寸法を小さくできるとともに、投写型表示装置の内部に別途冷却ファンの収納スペースを設ける必要がなくなり、当該投写型表示装置の小型化および薄型化が図れるようになる。
【０００８】
例えば、画像情報に応じて光学像を形成する電気光学装置の画像形成領域の中心を、投写レンズの軸の延長線と前記光変調装置との交点よりも下方に配置すれば、当該電気光学装置からの光学像は、当該軸の下方から入射されるとともに、投写レンズを通過して当該軸の上方に広がるように投写される。これにより、投写方向に対して最も基端側に配置されたレンズの上端側を切り欠いても、何ら問題なく、当該光学像が投写面上に拡大投写されるようになる。
【０００９】
以上において、投写レンズの筒状体の外周面にその径方向外側に突出するフランジが当該筒状体の基端面よりも先端側に形成されている場合、上記構成の発明を採用すると、有効である。
【００１０】
すなわち、このようなフランジを有する投写レンズでは、フランジを支持体にねじ止め固定すると、支持体に投写レンズの基端を挿入するための開口を形成しなければならない。従って、このようにレンズの上端を切り欠いているので、支持体の開口を小さくでき、支持体を小型化できる。
【００１１】
また、このように投写レンズを支持体に固定すると、投写レンズの重心位置に近い位置で固定でき、支持体への投写レンズの固定が安定する。
【００１３】
以上において、前記投写レンズの基端側を支持する支持体を有し、この支持体には、前記投写レンズの基端部分の形状に応じて形成され、当該レンズが挿入される開口部が設けられていることが望ましい。
【００１４】
このようにすれば、通常の円形のレンズと異なり、支持体に対する開口部の占める割合をすくなくすることができ、支持体を薄くしても、十分な強度を確保することができる。
【００１５】
また、前記電気光学装置を構成する光変調装置の画像形成領域の中心は、前記投写レンズの軸の延長線と前記光変調装置との交点よりも下方に配置されていることが望ましい。
【００１６】
このようにすれば、前述したように、当該光学像が下方から入射されるとともに、投写レンズを通過して上方へ向かって出射される。これにより、投写方向に対して最も基端側に配置されたレンズの上端側を切り欠いても、何ら問題なく、当該光学像が投写面上に拡大投写されるようになる。
【００１７】
【発明の実施の形態】
以下、本発明の実施の一形態を図面に基づいて説明する。
【００１８】
（１）装置の全体構成
図１には、本実施形態に係る投写型表示装置１の概略斜視図が示されている。
【００１９】
投写型表示装置１は、光源としての光源ランプから出射された光束を赤（Ｒ）、緑（Ｇ）、青（Ｂ）の三原色に分離し、これらの各色光束を、電気光学装置を構成する液晶パネルを通して画像情報に対応させて変調し、変調した後の各色の変調光束をプリズム（色合成光学系）により合成して、投写レンズ６を介して投写面上に拡大表示する形式のものである。各構成部品は筐体としての外装ケース２の内部に収納されている。
【００２０】
（２）外装ケースの構造
外装ケース２は、基本的には、装置上面を覆うアッパーケース３と、装置底面を構成するロアーケース４と、背面部分を覆うリアケースとから構成され、アッパーケース３およびロアケース４がマグネシウムダイキャスト製で、リアケースが樹脂製である。
【００２１】
アッパーケース３の上面の略中央右側（正面から見て右側）には、空気取入口２４０が設けられ、この空気取入口２４０は、樹脂製のフィルタ交換蓋２４１で覆われている。このフィルタ交換蓋２４１には、外部からの取り入れた空気を装置内部へ冷却空気として導入するためのスリット状の開口２４１Ａが形成され、当該フィルタ交換蓋２４１の内側には、エアフィルタ（図示略）が設けられている。このフィルタ交換蓋２４１をアッパーケース３の上面側から着脱することで、内部のエアフィルタを交換することが可能である。
【００２２】
アッパーケース３およびロアーケース４の前面には、装置内部の空気を排出する通気口としての排気口１６０が形成されている。
【００２３】
このような外装ケース２の空気取入口２４０寄りの側面および背面には、図示しない外部電力供給用のＡＣイントレットや各種の入出力端子群が配置されている。
【００２４】
（３）装置の内部構造
図２ないし図４には、投写型表示装置１の内部構造が示されている。
【００２５】
これらの図に示されるように、装置１の内部には、投写レンズ６の一側方に間隔を開けて配置された光源ランプユニット８、これらの投写レンズ６および光源ランプユニット８の間に配置されたて光学系を構成する光学ユニット１０、光学ユニット１０内の電気光学装置９２５を駆動するドライバーボード（図示略）、装置１全体を制御するメインボード（図示略）の他、ＡＣインレットからの電力を変圧して光源ランプユニット８や、ドライバーボード、メインボード、電気光学装置９２５の上方に配置された冷却ファン１７、光源ランプユニット８の前方に配置された排気ファン（図示略）などに供給する電源ユニット（図示略）を備えている。なお、この電源ユニットは、装置１内の配置スペースを勘案して複数に分割して構成されてもよい。
【００２６】
光源ランプユニット８は、投写型表示装置１の光源部分を構成するものであり、図５にも示されるように、光源ランプ１８１および凹面鏡１８２からなる光源１８３と、この光源１８３を収納するランプハウジング（図示略）とを有している。このような光源ランプユニット８は、前述した冷却ファン１７からの冷却空気や、外装ケース２と投写レンズ６との間の隙間から吸引される冷却空気で冷却される。冷却空気は、先ず、吸引された直後に電気光学装置９２５等を冷却し、この後に装置１内部の略全域を冷却するように左方側に流れ、最終的にはその大部分が光源ランプユニット８内を通って排気ファン（図示略）により、排気口１６０から排気される。従って、排気ファンの直前に光源ランプユニット８が配置されていることにより、その内部の光源１８３を大量の冷却空気で効率よく冷却することが可能である。
【００２７】
光学ユニット１０は、光源ランプユニット８から出射された光束を、光学的に処理して画像情報に対応した光学像を形成するユニットであり、照明光学系９２３、色光分離光学系９２４、電気光学装置９２５、および色光合成光学系としてのクロスダイクロイックプリズム９１０とを含んで構成される。電気光学装置９２５およびクロスダイクロイックプリズム９１０以外の光学ユニット１０の光学素子は、上下のライトガイド９０１，９０２の間に上下に挟まれて保持された構成となっている。尚、これらの上ライトガイド９０１、下ライトガイド９０２は一体とされて、ロアーケース４の側に固定ネジにより固定されている。ここで、図３は、下ライトガイド９０２から外した上ライトガイド９０１を反転させてその内部を示した図である。
【００２８】
直方体状のクロスダイクロイックプリズム９１０は、図４に示されるように、下ライトガイド９０２の上面側に固定ネジにより固定されている。また、電気光学装置９２５を構成する各液晶パネル９２５Ｒ、９２５Ｇ、９２５Ｂは、クロスダイクロイックプリズム９１０の３側面に固定部材を介して固定されている。
【００２９】
さらに、図示は省略されているが、電気光学装置９２５の各液晶パネル９２５Ｒ、９２５Ｇ、９２５Ｂを駆動・制御するためのドライバーボードが光学ユニット１０の上方に配置され、光学ユニット１０の後方に、投写型表示装置１全体を制御する制御回路が形成されたメインボードが立設配置される。従って、メインボードとドライバーボードとは互いに直角に配置されて電気的に接続される。また、前述の入力端子群が設けられたＡＶボードがメインボードと同様に立設配置され、このメインボードに電気的に接続される。
【００３０】
（４）光学系の構造
次に、投写型表示装置１の光学系即ち光学ユニット１０の構造について、図５に示す模式図に基づいて説明する。
【００３１】
上述したように、光学ユニット１０は、照明光学系９２３と、ダイクロイックミラー９４１，９４２と、反射ミラー９４３とを含む色光分離光学系９２４と、反射ミラー９７１，９７２、入射側レンズ９５４、リレーレンズ９７３を含むリレー光学系９２７と、３枚のフィールドレンズ９５１，９５２，９５３と、３枚の液晶パネル９２５Ｒ，９２５Ｇ，９２５Ｂと、クロスダイクロイックプリズム９１０と、投写レンズ６とを備えている。液晶パネル９２５Ｒ，９２５Ｇ，９２５Ｂの光入射側面には、それぞれ入射側偏光板９６０Ｂ，９６０Ｇ，９６０Ｒが配置されている。また、光出射側には、それぞれ出射側偏光板９６１Ｂ，９６１Ｇ，９６１Ｒが配置されている。
【００３２】
照明光学系９２３は、略平行な光束を出射する光源１８３と、第１のレンズアレイ９２１と、第２のレンズアレイ９２２と、重畳レンズ９３２と反射ミラー９３１とを備えている。照明光学系９２３は、３枚の液晶パネル９２５Ｒ，９２５Ｇ，９２５Ｂの画像形成領域をほぼ均一に照明するためのインテグレータ照明光学系である。
【００３３】
光源１８３は、放射状の光線を出射する放射光源としての光源ランプ１８１と、光源ランプ１８１から出射された放射光をほぼ平行な光線束として出射する凹面鏡１８２とを有している。光源ランプ１８１としては、ハロゲンランプやメタルハライドランプ、高圧水銀ランプが用いられることが多い。凹面鏡１８２としては、放物面鏡や楕円面鏡を用いることが好ましい。
【００３４】
第１のレンズアレイ９２１は、略矩形状の輪郭を有する小レンズ９２１１がＭ行Ｎ列のマトリクス状に配列された構成を有している。各小レンズ９２１１は、光源から入射された平行な光束を複数の（すなわちＭ×Ｎ個の）部分光束に分割し、各部分光束を第２のレンズアレイ９２２の近傍で結像させる。各小レンズ９２１１の輪郭の形状は、液晶パネル９２５Ｒ，９２５Ｇ，９２５Ｂの画像形成領域の形状とほぼ相似形をなすように設定されている。例えば、液晶パネルの画像形成領域のアスペクト比（横と縦の寸法の比率）が４：３であるならば、各小レンズのアスペクト比も４：３に設定する。
【００３５】
第２のレンズアレイ９２２も、第１のレンズアレイ９２１の小レンズ９２１１に対応するように、小レンズ９２２１がＭ行Ｎ列のマトリクス状に配列された構成を有している。第２のレンズアレイ９２２は、第１のレンズアレイ９２１から出射された各部分光束の中心軸（主光線）が重畳レンズ９３２の入射面に垂直に入射するように揃える機能を有している。さらに、重畳レンズ９３２は、複数の部分光束を３枚の液晶パネル９２５Ｒ，９２５Ｇ，９２５Ｂ上で重畳させる機能を有している。また、フィールドレンズ９５１，９５２，９５３は、液晶パネル９２５Ｒ，９２５Ｇ，９２５Ｂに照射される各部分光束をそれぞれの中心軸（主光線）に平行な光束に変換する機能を有する。なお、第２のレンズアレイ９２２は、図５に示されるように、反射ミラー９３１を挟んで第１のレンズアレイ９２１に対して９０度傾いて配置されている。反射ミラー９３１は、第１のレンズアレイ９２１から出射された光束を第２のレンズアレイ９２２に導くために設けられている。照明光学系の構成によっては、必ずしも必要としない。例えば、第１のレンズアレイ９２１および光源が第２のレンズアレイ９２２に平行に設けられていれば必要ではない。
【００３６】
図５に示す光学ユニット１０において、光源１８３から出射された略平行な光束は、インテグレータ光学系を構成する第１と第２のレンズアレイ９２１，９２２によって、複数の部分光束に分割される。第１のレンズアレイ９２１の各小レンズ９２１１から出射された部分光束は、重畳レンズ９３２によって、液晶パネル９２５Ｒ，９２５Ｇ，９２５Ｂの画像形成領域上で概ね重畳される。その結果、各液晶パネル９２５Ｒ，９２５Ｇ，９２５Ｂは、面内分布がほぼ均一な照明光によって照明される。
【００３７】
色光分離光学系９２４は、２枚のダイクロイックミラー９４１，９４２と、反射ミラー９４３とを備え、重畳レンズ９３２から出射される光を、赤、緑、青の３色の色光に分離する機能を有している。第１のダイクロイックミラー９４１は、照明光学系９２３から出射された光束の赤色光成分を反射させるとともに、青色光成分と緑色光成分とを透過する。第１のダイクロイックミラー９４１によって反射された赤色光は、反射ミラー９４３で反射され、フィールドレンズ９５１を通って赤色用の液晶パネル９２５Ｒに達する。このフィールドレンズ９５１は、第２のレンズアレイ９２２から出射された各部分光束をその中心軸（主光線）に対して平行な光束に変換する。他の液晶パネル９２５Ｇ，９２５Ｂの前に設けられたフィールドレンズ９５２，９５３も同様である。
【００３８】
第１のダイクロイックミラー９４１を透過した青色光と緑色光のうちで、緑色光は第２のダイクロイックミラー９４２によって反射され、フィールドレンズ９５２を通って緑色用の液晶パネル９２５Ｇに達する。一方、青色光は、第２のダイクロイックミラー９４２を透過し、入射側レンズ９５４、リレーレンズ９７３および反射ミラー９７２を備えたリレー光学系９２７を通り、さらにフィールドレンズ９５３を通って青色光用の液晶パネル９２５Ｂに達する。なお、青色光にリレー光学系９２７が用いられているのは、青色光の光路の長さが他の色光の光路の長さよりも長いため、光の拡散等による光の利用効率の低下を防止するためである。すなわち、入射側レンズ９５４に入射した部分光束をそのまま、フィールドレンズ９５３に伝えるためである。
【００３９】
液晶パネル９２５Ｒの光入出射面側には、入射側偏光板９６０Ｒと、出射側偏光板９６１Ｒとがそれぞれ配置されている。入射側偏光板９６０Ｒは、入射した光のうち特定の偏光光のみを透過する。液晶パネル９２５Ｒは、与えられた画像情報に従って、入射側偏光板９６０Ｒから出射された赤色光の偏光光を変調する。出射側偏光板９６１Ｒは、液晶パネル９２５Ｒから出射した変調光のうち、特定の偏光光のみを透過する。
【００４０】
液晶パネル９２５Ｇ，９２５Ｂの光入出射面側にも、入射側偏光板９６０Ｇ，９６０Ｂと、出射側偏光板９６１Ｇ，９６１Ｂとがそれぞれ配置されている。なお、本実施形態の液晶パネル９２５Ｒ，９２５Ｇ，９２５Ｂとしては、例えば、ポリシリコンＴＦＴをスイッチング素子として用いたものを採用できる。
【００４１】
クロスダイクロイックプリズム９１０は、３色の色光を合成してカラー画像を形成する色光合成光学系としての機能を有している。クロスダイクロイックプリズム９１０には、赤光を反射する誘電体多層膜と、青光を反射する誘電体多層膜とが、４つの直角プリズムの界面に沿って略Ｘ字状に形成されている。これらの誘電体多層膜によって３つの色光が合成される。
【００４２】
クロスダイクロイックプリズム９１０によって構成された光は、投写レンズ６の方向に出射される。投写レンズ６は、この合成光を投写スクリーン等の投写面上に投写して、カラー画像を表示する投写手段としての機能を有する。
【００４３】
（５）投写レンズの構造
図６ないし図８には、投写レンズの構造が示されている。
【００４４】
投写レンズ６は、図４に示したように、その基端側を支持する支持体としてのヘッド板６４を介して下ライトガイド９０２に固定されている。この投写レンズ６は、複数のレンズ６１を所定の軸６０に沿って配置し、入力された光学像を拡大投写するものである。複数のレンズ６１は、複数の部材によって構成される筒状体６６の内部に固定されている。投写レンズ６の投写方向に対して基端側近傍には、当該筒状体６６の外周面から径方向外側に向かって突出する矩形状のフランジ６２が形成されている。このフランジ６２は、投写レンズ６の基端面よりも先端側に形成されている。
【００４５】
複数のレンズ６１のうち、投写方向に対して最も基端側配置されたレンズ６１Ａは、その上端側が切り欠かれた形状となっている。また、レンズ６１Ａの形状に合わせて、筒状体６６も上端側が切り欠かれた形状とされている。そして、レンズ６１Ａの側面のうち、切り欠かれた形状とされた部分以外の部分は、筒状体６６によって覆われる。さらに、レンズ６１Ａの側面のうち、切り欠かれた形状とされた部分は、遮光性を有する板体６７で覆われ、投写レンズ６の内部への塵埃の侵入や光漏れが防止されるようになっている。板体６７はレンズ６１Ａのレンズ面の外周に沿った枠部分６７Ａを有し、この枠部分６７Ａは３つのネジ６８によって筒状体６６に固定されている。なお、上端側が切り欠かれたレンズ６１Ａの枚数は、投写レンズ６に形成されるフランジ６２の位置によって設定されるようになっている。
【００４６】
また、投写レンズ６は、当該基端側を支持する支持体としてのヘッド板６４を介して下ライトガイド９０２に固定されている。このヘッド板６４は、フランジ６２の輪郭よりも一回り大きい矩形状に形成されたものである。ヘッド板６４には、レンズ６１Ａの外周の形状に応じて開口部６５が形成され、この開口部６５に投写レンズ６の基端部が挿入される。
【００４７】
ここで、本実施形態の投写レンズでは、基端側のレンズ６１Ａの上端側が切り欠かれた形状となっているので、通常の円形のレンズ６１の場合と異なり、開口部６５の面積を少なくすることができる。従って、ヘッド板６４の高さ寸法を小さくすることができる。さらに、当該ヘッド板６４の面積に対する開口部６５の占める面積の割合を少なくすることができるため、ヘッド板６４の厚さを薄くすることが可能となる。さらにまた、図２からわかるように、レンズ６１Ａの上端側が切り欠かれた形状となっているので電気光学装置９２５の上方に冷却ファン１７を配置する際に、レンズ６１Ａの上の領域も利用することができる。従って、、冷却ファン１７の上端が、ヘッド板６４の上端縁から突出しないようになっている。
【００４８】
ここで、電気光学装置９２５を構成する光変調装置としての液晶パネル９２５Ｒ，９２５Ｇ，９２５Ｂの画像形成領域の中心Ｐは、図８に示されるように、投写レンズ６の軸６０の延長線と液晶パネル９２５Ｒ，９２５Ｇ，９３５Ｂとの交点Ｑよりも下方に配置されている。
【００４９】
液晶パネル９２５Ｒ，９２５Ｇ，９２５Ｂからの光学像は、クロスダイクロイックプリズム９１０を通過して軸６０の下方から投写レンズ６に入射されるとともに、当該投写レンズ６を通過して当該軸６０の上方に広がるように投写されるようになっている。
【００５０】
（６）実施形態の効果
前述のような本実施形態によれば、以下のような効果がある。
【００５１】
すなわち、レンズ６１Ａの上端側を切欠き、略平坦面としているので、投写レンズ６を支持するヘッド板６４の高さ寸法が小さくなる。また、投写レンズ６の基端側近傍に配置された電気光学装置９２５の上方に冷却ファン１７を配置する際に、レンズ６１Ａの上の領域も利用することができる。これにより、投写型表示装置１の高さ寸法を小さくして装置１を薄型化できるとともに、当該投写型表示装置１の内部に別途冷却ファン１７の収納スペースを設ける必要がなくなり、装置１を小型化できる。
【００５２】
また、液晶パネル９２５Ｒ，９２５Ｇ，９２５Ｂの画像形成領域の中心Ｐを投写レンズ６の軸の延長線と液晶パネル９２５Ｒ，９２５Ｇ，９３５Ｂとの交点Ｑよりも下方に配置しているので、当該液晶パネル９２５Ｒ，９２５Ｇ，９２５Ｂから構成された光学像は、クロスダイクロイックプリズム９１０を通過して軸６０の下方から入射され、投写レンズ６を通過して軸６０の上方に広がるように投写される。これにより、レンズ６１Ａの上端側を切り欠いても、何ら問題なく、光学像を投写面上に拡大投射できる。
【００５３】
さらに、ヘッド板６４に、レンズ６１Ａの形状に応じて開口部６５を形成したので、通常の円形のレンズ６１の場合と異なり、ヘッド板６４に対する開口部６５の占める割合を少なくすることができ、ヘッド板６４を薄くしても、十分な強度を確保することができる。
【００５４】
（７）実施形態の変形
尚、本発明は上述した実施形態に限定されるものではなく、以下に示すような変形をも含むものである。
【００５５】
前記実施形態では、上端側が切り欠かれたレンズの枚数は、投写方向に対して最も基端側に配置されたレンズ６１Ａの１枚であったが、これに限らず、複数枚であってもよい。この際、レンズの枚数は、投写レンズ６に形成されたフランジ６２の位置によって設定され、液晶パネル９２５Ｒ，９２５Ｇ，９２５Ｂからの光学像に影響を及ぼさない程度に設定されていることが望ましい。
【００５６】
また、前記実施形態では、ヘッド板は、矩形状に形成されていたが、これに限らず、円形状および他の形状に形成されるものでもよく、すなわち、投写レンズを支持できる形状であればどのような形状のものであってもよい。
【００５７】
前記実施形態では、電気光学装置９２５は、ＴＦＴ駆動の液晶パネル９２５Ｒ、９２５Ｇ、９２５Ｂから構成されていたが、これに限らず、他の駆動方式から構成される光変調装置を備えた投写型表示装置に本発明を採用してもよい。
【００５８】
さらに、前記実施形態では、電気光学装置９２５は、３枚の液晶パネル９２５Ｒ，９２５Ｇ，９２５Ｂから構成されていたが、これに限らず、１枚、２枚の液晶パネルから構成される光変調装置に本発明を採用してもよい。
【００５９】
そして、前記実施形態では、電気光学装置９２５を構成するパネルは液晶素子から構成されていたが、液晶以外のプラズマ素子、マイクロミラーを用いたデバイスパネルから構成される光変調装置を備えた投写型表示装置に本発明を採用してもよい。
【００６０】
また、前記実施形態における電気光学装置９２５は、光束Ｒ，Ｇ，Ｂを透過して変調する形式のものであったが、これに限らず、入射した光を反射しつつ変調して出射する反射型の光変調装置を備えた投写型表示装置に本発明を採用してもよい。
【００６１】
その他、本発明の実施の際の具体的な構造および形状等は、本発明の目的を達成できる範囲で他の構造等としてもよい。
【００６２】
【発明の効果】
前述のような本発明によれば、レンズの上端側が切欠かれた形状とされているので、投写レンズを支持する部材の高さ寸法を小さくすることが可能となり、また、投写レンズの基端側近傍に配置される電気光学装置の上方に、冷却ファン等を配置する際に、レンズの上の領域も利用することが可能となる。これにより、当該投写レンズを有する投写型表示装置の高さ寸法を小さくして装置を薄型化できるとともに、投写型表示装置の内部に別途冷却ファン等の収納スペースを設ける必要がなくなり、当該投写型表示装置を小型化できる。
【図面の簡単な説明】
【図１】本発明の実施形態に係る投写型表示装置を示す外観斜視図である。
【図２】前記実施形態における投写型表示装置の内部構造を示す斜視図である。
【図３】前記実施形態における投写型表示装置の内部構造を示す斜視図である。
【図４】前記実施形態における投写型表示装置の内部構造を示す斜視図である。
【図５】前記実施形態における光学系の構造を説明するための模式図である。
【図６】前記実施形態における投写レンズを示す斜視図である。
【図７】前記実施形態における投写レンズを示す縦断面図である。
【図８】前記実施形態における光学像を示す図である。
【符号の説明】
１  投写型表示装置
２  筐体である外装ケース
６  投写レンズ
８  光源
６１，６１Ａ  レンズ
６４  ヘッド板
６５  開口部
９２５  電気光学装置
９２５Ｒ，９２５Ｇ，９２５Ｂ  光変調装置である液晶パネル
【図１】
0003606105.tif 000002
【図２】
0003606105.tif 000003
【図３】
0003606105.tif 000004
【図４】
0003606105.tif 000005
【図５】
0003606105.tif 000006
【図６】
0003606105.tif 000007
【図７】
0003606105.tif 000008
【図８】
0003606105.tif 000009